(57)【特許請求の範囲】
【請求項１】
建造物の床の下地面に敷設される暖房可能な床の構造において、床の下地面の上面に支持脚によって支持されて下地板が取り付けられ、上記下地板は、相互に隣接する下地板の端部に小さな隙間を設けて配置されてなり、この相互の隣接する下地板の隙間の上に、この隙間より広幅の小根太が配置されてなり、相互の隣接する小根太の間に、上面に刻設された溝に熱媒用可撓性チューブが埋設された床暖房パネルが配置され、この床暖房パネルと小根太の上面に表面被覆材が配置されてなることを特徴とする、暖房可能な床の構造。
【請求項２】
床暖房パネルの上面に均熱材が配置され、この均熱材は床暖房パネルの上面に刻設された溝に沿ってミシン目が点綴され、このミシン目の上から熱媒用可撓性チューブが押し込まれたものである、請求項１に記載の暖房可能な床の構造。
【発明の詳細な説明】
【０００１】
【発明の属する技術分野】
本発明は、暖房可能な床の構造に関する。さらに詳しくは、一般住宅、集合住宅、商業ビルまたはホテルなどの建築物の基礎床面に施工され、床用資材コストが安く、施工作業が大幅に簡素化された暖房可能な床の構造に関する。
【０００２】
【従来の技術】
従来、寒冷地の住宅の居住性、温暖地の住宅の寒冷期における居住性を向上させる目的で、住宅の床面から暖房する床暖房技術が提案され、実用化されている。例えば、一戸建て住宅にあっては、大引と床板との間、大引の上に敷いた下地合板の上面（または上側）などに床暖房パネルを組込む手法が採用され、マンションなどのような集合住宅にあっては、スラブ床の上面に直接またはスラブ床の上面に敷いた下地合板の上などに、床暖房パネルを敷設する方法が採用されている。
【０００３】
床暖房パネルは、例えば、木製板状体の一方の上面に溝を刻設し、この溝に熱媒用可撓性チューブ（以下、単に「熱媒用チューブ」または「チューブ」ということがある）を埋設し、その表面をアルミニウム箔などの均熱材で被覆した構造のものが提案されている。
【０００４】
これら床暖房パネルを実際に一戸建て住宅、集合住宅などの床に組み立てるに際しては、従来は、図４に拡大縦断端面図として示した様に４層にするのが普通であった。まず、マンションのスラブ面などの下地面４１の上面に、支持脚４２によって支持してパーチクルボード製などのベースパネル４３を最下層に配置し、２層目に、このベースパネル４３の上面に隙間４３ａを設け、接着剤を介して捨貼り合板４４を配置し、さらに、この２層目の捨貼り合板４４の上に、小根太４５を配置しこの小根太４５の間に３層目の床暖房パネル４６を配置し、最後に、この３層目の床暖房パネル４６の上面に４層目の表面被覆材４７を配置するのが普通であった。
【０００５】
支持脚４２および最下層のベースパネル３３は、消音・防湿などの機能を果たし、第２層の捨貼り合板４４は最下層のベースパネル４３が振動するのを防ぐ目的で配置され、第３層の床暖房パネル４６は床暖房用の目的で配置され、第４層の表面被覆材４７は床面の外観を美麗にする目的で配置される。これら４層よりなる従来の床は、(1)床表面が建造物の床の下地面からの寸法が全体として高くなり、居住空間の表面被覆材４７から天井までの高さを小さくしてしまい、居住者に圧迫感を与え、(2)層数が多いので床用資材のコストが高くなり、(3)層数が多いので施工作業が繁雑である、などの欠点があった。
【０００６】
【発明が解決しようとした課題】
本発明者らは、従来の暖房可能な床を施工する際に存在していた上記の諸欠点を排除すべく鋭意検討の結果、特殊な構造の３層とすることにより、一挙に解決できることを見出だし、本発明を完成した。本発明の目的は、次の通りである。
１．床表面が建造物の床の下地面から高くなりすぎない暖房可能な床の構造を提供すること。
２．床用資材のコストが高くならない暖房可能な床の構造を提供すること。
３．従来の床に比べて施工作業が大幅に簡素化された暖房可能な床の構造を提供すること。
【０００７】
【課題を解決するための手段】
上記課題を解決するため、本発明では、建造物の床の下地面に敷設される暖房可能な床の構造において、床の下地面の上面に支持脚によって支持されて下地板が取り付けられ、上記下地板は、相互に隣接する下地板の端部に小さな隙間を設けて配置されてなり、この相互の隣接する下地板の隙間の上に、この隙間より広幅の小根太が配置されてなり、相互の隣接する小根太の間に、上面に刻設された溝に熱媒用可撓性チューブが埋設された床暖房パネルが配置され、この床暖房パネルと小根太の上面に表面被覆材が配置されてなることを特徴とする、暖房可能な床の構造を提供する。
【０００８】
【発明の実施の形態】
以下、本発明を詳細に説明する。
本発明に係る暖房可能な床は、建造物の床の下地面に敷設される。下地面とは、マンション、商業ビル、ホテルなどのコンクリート製の建造物にあってはスラブ面を言い、一戸建て住宅にあっては下地床合板を言う。
【０００９】
本発明に係る暖房可能な床は、床の下地面の上面または上側（以下、単に「上面」という）に支持脚によって支持されて下地板が最下層として取り付けられる。支持脚は、床の下地面の上面に配置され下地板を支持する機能を果たす。支持脚は、ポリエチレン、ポリプロピレン、ポリカーボネートなどの熱可塑性樹脂よりの成形品が好適である。
【００１０】
この支持脚は、下地面の上面に配置した際に転倒しないように、例えば、３０mm×３０mm〜８０mm×８０mmの大きさの下方部を形成して広くし、また、下地板を支持できるように、例えば、５０mm×５０mm〜１００mm×１００mmの大きさの上方部を形成して広くし、下方部と上方部とを３０mm〜１００mmの長さの棒状部で連接した構造のものが好ましい。下地面の上面に支持脚の下方部と同等ないし若干広い面積のゴム板を配置し、このゴム板の上に支持脚の下方部を載置すると消音（遮音）効果が発揮されて好ましい。
【００１１】
支持脚を配置する数は、多すぎると支持脚の費用と配置する場合の作業量が増えて好ましくないので、下地板を支持することができる最小の数とするのが普通である。複数の下地板が隣接する境目に支持脚を配置すると、１個の支持脚で２枚（２枚の下地板の境目）または４枚（４枚の下地板の四隅部）を支持することができ、支持脚の全体の配置数を少なくすることができるので、好ましい。なお、暖房可能な床を施工する１区画（部屋）の壁際には、支持脚に代えて際根太（回り縁）を配置するのが普通である。また、床の下地面と下地板との空間部分にポリウレタン発泡シート、グラスウールなどを配置すると、消音（遮音）効果を一層向上させることができ、好ましい。
【００１２】
下地板は、その上面に床暖房パネルを載置する機能を果たすものであり、木製の板、パーチクルボードなどより構成する。下地板は厚さが１５mm〜３０mmで、平面形状が四角形の場合はその大きさは、例えば、９００mm×９００mm、４５０mm×９００mm、４５０mm×１８００mmなどのものが代表的である。これら下地板は、支持脚の上方部に載置されるが、複数の下地板が隣接する境目に１〜１０mmの小さな隙間を設けて配置する。この隙間は、下地板が膨張した際の緩衝部として機能する。
【００１３】
上記下地板の上面には、一定間隔で小根太が配置される。小根太は後記する床暖房パネルが重量物で圧迫された際に潰れるのを防ぎ、従来の床の捨貼り合板の機能を果たし、かつ、表面被覆層からの釘打ちを可能にする機能を果たす。小根太を配置する間隔は、下地板の一方の境目（縦横の境目ではない意味）に沿って隙間を塞ぐように配置するのが好ましい。小根太の幅は、隣接する下地板の境目に設けた小さな隙間より広幅の２０mm〜１００mm、厚さは床暖房パネルと同じく１０mm〜３０mmの範囲で選ぶのが好ましい。
【００１４】
小根太の間には、床暖房パネルを配置する。床暖房パネルは上面に蛇行させた溝が刻設された断熱材層と、この溝には熱媒用可撓性チューブが埋設される構成とされている。断熱材層は、発泡ゴムシート、発泡プラスチックシートなどの弾力性に富み、復元力に富んだ材料からなものが好ましい。中でも好ましいのは、発泡ポリスチレン、発泡ポリエチレン、およびこれらの混合物が挙げられる。断熱材層の厚さは、１０mm〜３０mmの範囲で選ぶことができる。
【００１５】
溝は断熱材層の一方の面に開口させて設け、刻設する溝の分布密度は床暖房用放熱板を敷設する建造物の構造、建造物が構築されている地域などによって変えることができる。溝の幅、深さはこの溝に配置する熱媒用可撓性チューブの直径に応じて選べばよい。なお、暖房可能は床を施工する１区画（部屋）の壁際には、サイドボード、衣類棚、箪笥を配置したりするので、熱媒用チューブを埋設する必要がないので、パーチクルボードや溝を刻設していない薄板を配置してもよい。
【００１６】
この溝には、熱媒用可撓性チューブが埋設される。熱媒用チューブは、その内側空間に熱媒を通す機能を果すものであり、可撓性に優れ、機械強度、耐熱性、耐薬品性などにも優れている必要がある。このような特性を発揮するチューブとしては、架橋ポリエチレン管、ポリブテン管、ポリプロピレン管、銅管、アルミニウム管、管の壁面に金属線を埋設した樹脂管などが挙げられ、中でも好ましいのは、架橋ポリエチレン管、銅管である。熱媒用チューブの直径は、建築物の構築される地域、建築物の種類などによりことなるが、５mm〜２０mmの範囲で選ぶことができる。
【００１７】
床暖房パネルと小根太の上面には、表面被覆材が配置されてなる。表面被覆材は、床面の外観を美麗にする機能を果たす。表面被覆材は、木製、合板製より構成し、その表面に木目模様などの印刷模様を施したプラスチックフィルム、不織布、強化紙などを貼着したものが好ましい。表面被覆材の厚さは、余り薄過ぎると強度が不足して破損し易くなり、逆に厚過ぎると熱媒用チューブからの熱が表面被覆材の表面に伝熱されなくなり、いずれも好ましくない。好ましい厚さは、１．５mm〜５mmの範囲である。
【００１８】
床暖房パネルの上面と表面被覆材との間に均熱材を配置すると、熱媒用チューブからの熱を効率的に表面被覆材側に放熱できるので好ましい。均熱材として使用できるものとしては、アルミニウム箔、ステンレススチール箔、錫箔、銅箔などが挙げられるが、価格の観点からアルミニウム箔が最適である。均熱材の厚さは、余り薄過ぎると強度が不足して破損し易くなり、逆に厚過ぎるとコスト高になり、いずれも好ましくない。均熱材の好ましい厚さは、１０μｍ〜２００μｍの範囲である。
【００１９】
均熱材は、床暖房パネルの上面の平坦部のみではなく、床暖房パネルに刻設した溝の表面にも均熱材を貼り付けるのが好ましい。なお、均熱材を溝の内側面に貼り付ける作業は繁雑であるので、溝に沿ってミシン目を点綴しておき点綴の上に熱媒用チューブを配置し、熱媒用チューブを溝に押し込み埋設する際に、点綴部を破って溝の内側面に押し込むこともできる。
【００２０】
以下、本発明に係る暖房可能な床を施工する際の作業手順を説明する。まず、床を施工する１区画（部屋）の壁際に沿って際根太（回り縁）を配置する。ついで、前記支持脚を配置し、際根太と支持脚によって支持させて下地板を配置する。支持脚は２枚または４枚の下地板を支持するように、２枚の下地板の境目、および／または、４枚の下地板の境目に配置する。この際、下地板の境目に１〜１０mmの小さな隙間を設けるのは、前記した通りである。
【００２１】
つぎに、下地板の上面に、下地板の一方の境目（縦横の境目ではない意味）に沿って隙間を塞ぐように小根太を配置する。小根太は１区画（部屋）の一方の壁面に接触させるが、他方の壁面には到達しない長さとし、熱媒用チューブを隣の暖房パネルに湾曲させて導くことができる程度の未達部を形成する。小根太の未達部は、一方の壁面側に形成することなく、交互に形成する。小根太で挟まれた部分には、上記暖房パネルを嵌め込む。熱媒用チューブを隣の暖房パネルに湾曲させて導く部分には、隣接する暖房パネル（暖房パネル２枚）分の幅を有し、未達部の長さを有する嵌め込み部を配置するのが好ましい。この嵌め込み部には、熱媒用チューブを一方の暖房パネルから他方の暖房パネルに導くための湾曲した溝を、あらかじめ刻設しておくものとする。
【００２２】
熱媒用チューブは、あらかじめ暖房パネルの溝に埋設されていてもよいし、小根太の間に暖房パネルを嵌め込んだ後、溝に埋設することもできる。後者の場合、均熱材に床暖房パネルに刻設された溝に沿ってミシン目を点綴しておくと、上記の通り、熱媒用チューブを暖房パネルの溝に埋設する際に同時に均熱材を溝に押し込むことができるので好ましい。なお、１区画（部屋）の壁際には、サイドボード、衣類棚、箪笥を配置したりすることが多いので、上記の通り、熱媒用チューブを埋設する必要がないので、パーチクルボードや溝を刻設していない薄板などをダミー合板として配置する。
【００２３】
続いて、暖房パネルと小根太との上側に表面被覆材を配置し、表面被覆材の表面から小根太に達するように、釘打ちして表面被覆材を固定し、暖房可能な床の施工作業を完了する。
【００２４】
【実施例】
以下、本発明を図面に基いて詳細に説明するが、本発明はその趣旨を超えない限り、以下の記載例に限定されるものではない。
【００２５】
図１は、本発明に係る暖房可能な床の一例の一部切欠き平面図であり、図２は、本発明に係る暖房可能な床の一例の拡大縦断端面図であり、図３は、暖房パネルの表面に配置した均熱材に溝に沿ってミシン目を点綴した例を示す、部分拡大斜視図である。
【００２６】
図１、図２において、１１はマンションのスラブ面などの床の下地面、１２は支持脚であり、この支持脚１２は、下方部１２ａ、棒状部１２ｂ、上方部１２ｃより構成される。１３はベースパネルであり、ベースパネル１３は支持脚の上方部１２ｃと区画外周（壁面）に配置された際根太２０の上面に、ベースパネル１３が配置されている。隣接するベースパネル１３の間には隙間１３ａを設けられる。
【００２７】
上記ベースパネル１３の隙間１３ａの上面には、隙間１３ａに沿って小根太１５が配置されており、小根太１５の間には床暖房パネル１６が配置される。床暖房パネル１６には、溝１８が刻設され、この溝１８には熱媒用チューブ１９が埋設されている。小根太１５と床暖房パネル１６との上方に均熱材１６ａが配置され、その上側に表面被覆材１７が配置されている。なお、区画（部屋）の壁際の床暖房パネル１６には、溝１８を形成していない。
【００２８】
図３において、床暖房パネル３６には、溝３８が刻設されており、その床暖房パネル３６の表面には、溝３８に沿ってミシン目３０が点綴された均熱材３６ａが配置されている。溝３８に熱媒用チューブを埋設する際に、ミシン目３０の上に熱媒用チューブを配置し、溝に押し込めば均熱材３６ａはミシン目３０に沿って破られ、溝の内側に押し込まれて壁面を被覆し熱が放散するのを防ぐように作用する。
【００２９】
【発明の効果】
本発明は、次のような特別に有利な効果を奏し、その産業上の利用価値は極めて大である。
１．本発明に係る暖房可能な床は、従来の床に設けられていた捨貼り合板が設けられていないので、床表面が建造物の床の下地面から高くなりすぎない。
２．本発明に係る暖房可能な床は、従来の床に設けられていた捨貼り合板を設けず接着剤も使用しないので、床用資材のコストを安くすることができる。
３．本発明に係る暖房可能な床は、相互の隣接する下地板の隙間の上に小根太が配置されているので、下地板の振動を防ぐことができる。
４．本発明に係る暖房可能な床は、従来の床に設けられていた捨貼り合板を設けず、下地板と捨貼り合板との間に接着剤を介在させないので、従来の床を施工する場合に比べて施工作業が大幅に簡素化される。
【図面の簡単な説明】
【図１】  本発明に係る暖房可能な床の一例の一部切欠き平面図である。
【図２】  図１のII−II部分における拡大縦断端面図である。
【図３】  暖房パネルの表面に配置した均熱材に溝に沿ってミシン目を点綴した例を示す、部分拡大斜視図である。
【図４】  従来の暖房可能な床の一例の拡大縦断端面図である。
【符号の説明】
１１、４１：下地面
１２、４２：支持脚
１２ａ、４２ａ：下方部
１２ｂ、４２ｂ：棒状部
１２ｃ、４２ｃ：上方部
１３、４３：ベースパネル
１３ａ、４３ａ：ベースパネル間の隙間
４４：捨貼り合板
１５、４５：小根太
１６、３６、４６：床暖房パネル
１６ａ、３６ａ：均熱材
１７、４７：表面被覆材
１８、３８：溝
１９、４９：熱媒用チューブ
２０：際根太
３０：ミシン目
【図１】
0003751730.tif 000002
【図２】
0003751730.tif 000003
【図３】
0003751730.tif 000004
【図４】
0003751730.tif 000005